(57)【要約】【課題】講義や打ち合わせ等の内容を再生する際に、その講義等では提示されなかった補足資料を講義や打ち合わせ等の再生に同期させて表示させることを可能とする。【解決手段】動画像再生アプリケーション１３０によって動画像再生が行われている間に、ユーザからユーザインターフェース１１０を介してプレゼンテーション用アプリケーション１２０に対して新規スライド画像の作成指示が入力されると、イベントデータ取得アプリケーション１４０は当該指示時点における動画像再生アプリケーション１３０による再生時刻を取得し、当該再生時刻と新規作成されたスライド画像を識別するページ番号とを関連付けたイベントデータを作成する。【選択図】      図１
2004258745.tif 000002
【特許請求の範囲】
【請求項１】
動画像データまたは音声データに基づいて動画像または音声を再生している間に、ユーザから画像表示機能を実現するアプリケーションに対して新たな編集可能な画像表示用データの作成指示があった場合、指示された時の再生時刻と、当該新たに作成された画像表示用データを識別する識別情報とを関連付けて記録するイベント記録手段
を具備することを特徴とするイベント取得装置。
【請求項２】
前記イベント記録手段は、前記アプリケーションによって作成された画像表示用データがすでにある場合においてユーザからタイミング指示があったときには、その指示された時の再生時刻と、当該画像表示用データを識別する識別情報とを関連付けて記録する
ことを特徴とする請求項１に記載のイベント取得装置。
【請求項３】
ユーザからの開始指示があった後に、ユーザから画像表示機能を実現するアプリケーションに対して新たな編集可能な画像表示用データの作成指示があった場合、指示された時の前記開始指示時点からの経過時間と、当該新たに作成された画像表示用データを識別する識別情報とを関連付けて記録するイベント記録手段
を具備することを特徴とするイベント取得装置。
【請求項４】
前記イベント記録手段は、前記アプリケーションによって作成された画像表示用データがすでにある場合においてユーザからタイミング指示があったときには、その指示された時の前記開始指示時点からの経過時間と、当該画像表示用データを識別する識別情報とを関連付けて記録する
ことを特徴とする請求項３に記載のイベント取得装置。
【請求項５】
リアルタイムで供給される動画像データおよび音声データを記録している間に、ユーザから画像表示機能を実現するアプリケーションに対して新たな編集可能な画像表示用データの作成指示があった場合、指示された時の記録開始からの経過時間と、当該新たに作成された画像表示用データを識別する識別情報とを関連付けて記録するイベント記録手段
を具備することを特徴とするイベント取得装置。
【請求項６】
前記イベント記録手段は、前記アプリケーションによって作成された画像表示用データがすでにある場合においてユーザからタイミング指示があったときには、その指示された時の記録開始からの経過時間と、当該画像表示用データを識別する識別情報とを関連付けて記録する
ことを特徴とする請求項５に記載のイベント取得装置。
【請求項７】
動画像データまたは音声データに基づいて動画像または音声を再生している間に、ユーザから画像表示機能を実現するアプリケーションに対して新たな画像表示用データの作成指示があった場合、指示された時の再生時刻と、当該新たに作成された画像表示用データを識別する識別情報とを関連付けて記録するイベント記録手段と、
再生された前記動画像データまたは前記音声データと、前記イベント記録手段によって記録された再生時刻に関連付けられた識別情報を含むイベント内容とを、前記イベント記録手段によって記録された再生時刻に基づいて時系列に対応付けるインデキシング手段と
を具備することを特徴とするインデキシング装置。
【請求項８】
リアルタイムで供給される動画像データおよび音声データを記録している間に、ユーザから画像表示機能を実現するアプリケーションに対して新たな画像表示用データの作成指示があった場合、指示された時の記録開始からの経過時間と、当該新たに作成された画像表示用データを識別する識別情報とを関連付けて記録するイベント記録手段と、
記録された前記動画像データまたは前記音声データと、前記イベント記録手段によって記録された経過時間に関連付けられた識別情報を含むイベント内容とを、前記イベント記録手段によって記録された経過時間に基づいて時系列に対応付けるインデキシング手段と
を具備することを特徴とするインデキシング装置。
【請求項９】
動画像データまたは音声データに基づいて動画像または音声を再生する再生ステップと、
前記再生ステップでの再生中に、ユーザから画像表示機能を実現するアプリケーションに対して新たな編集可能な画像表示用データの作成指示があった場合、指示された時の再生時刻と、当該新たに作成された画像表示用データを識別する識別情報とを関連付けて記録するイベント記録ステップと
を具備することを特徴とするイベント取得方法。
【請求項１０】
ユーザからの開始指示があった後に、ユーザから画像表示機能を実現するアプリケーションに対して新たな編集可能な画像表示用データの作成指示があった場合、指示された時の前記開始指示時点からの経過時間と、当該新たに作成された画像表示用データを識別する識別情報とを関連付けて記録するイベント記録ステップを
を具備することを特徴とするイベント取得方法。
【請求項１１】
リアルタイムで供給される動画像データおよび音声データを記録する記録ステップと、
前記記録ステップでの記録中に、ユーザから画像表示機能を実現するアプリケーションに対して新たな編集可能な画像表示用データの作成指示があった場合、指示された時の記録開始からの経過時間と、当該新たに作成された画像表示用データを識別する識別情報とを関連付けて記録するイベント記録ステップと
を具備することを特徴とするイベント取得方法。
【請求項１２】
コンピュータを、
動画像データまたは音声データに基づいて動画像または音声を再生している間に、ユーザから画像表示機能を実現するアプリケーションに対して新たな編集可能な画像表示用データの作成指示があった場合、指示された時の再生時刻と、当該新たに作成された画像表示用データを識別する識別情報とを関連付けて記録するイベント記録手段
として機能させることを特徴とするプログラム。
【請求項１３】
コンピュータを、
ユーザからの開始指示があった後に、ユーザから画像表示機能を実現するアプリケーションに対して新たな編集可能な画像表示用データの作成指示があった場合、指示された時の前記開始指示時点からの経過時間と、当該新たに作成された画像表示用データを識別する識別情報とを関連付けて記録するイベント記録手段
として機能させることを特徴とするプログラム。
【請求項１４】
コンピュータを、
リアルタイムで供給される動画像データおよび音声データを記録する記録している間に、ユーザから画像表示機能を実現するアプリケーションに対して新たな編集可能な画像表示用データの作成指示があった場合、指示された時の記録開始からの経過時間と、当該新たに作成された画像表示用データを識別する識別情報とを関連付けて記録するイベント記録手段
として機能させることを特徴とするプログラム。
【発明の詳細な説明】
【０００１】
【発明の属する技術分野】
この発明は、イベント取得装置、インデキシング装置、イベント取得方法およびプログラムに関する。
【０００２】
【従来の技術】
従来より、プレゼンテーション、講義、打ち合わせ会議などを行う際に、プレゼンテーションや講義等の様子をビデオカメラで撮影または録音装置で録音し、ビデオカメラで撮影した録画データまたは録音した録音データを記録媒体等に記録して配布等することがある。このような記録媒体等の配布を受けた者が記録されたデータを所定の再生装置で再生することで、プレゼンテーションや講義の様子を視聴したり、聴講したりすることができる。
【０００３】
プレゼンテーションや講義などでは、スクリーン上に資料等を表示させるプロジェクター装置等が用いられることが多い。したがって、プレゼンテーション等を撮影した映像等を再生する場合において、このようなスクリーン上に表示された資料等が上記再生に同期して表示されると、よりプレゼンテーションや講義などの内容がより理解しやすくなる。
【０００４】
そこで、プレゼンテーションの様子をビデオに録画するとともに、プレゼンテーションの際に説明者が、各々の資料画像をスクリーンに表示させたタイミング情報を取得するといった技術が提案されている（例えば、特許文献１参照）。
【０００５】
かかる技術では、プレゼンテーションの様子を録画した映像を再生する際に、取得した各画像の表示タイミング情報を参照することで、プレゼンテーション映像の再生時刻がある画像の表示タイミングとなった時点で当該ある画像を、その画像データに基づいて表示させるようにしている。
【０００６】
【特許文献１】
特開平１０−５５３９１号公報
【０００７】
【発明が解決しようとする課題】
ところで、講義や打ち合わせの参加者が、その内容を第三者等によりわかりやすく伝えるためにその講義や打ち合わせの際には用意されていなかった補足資料等を提供したいと思う場合もある。例えば、打ち合わせ時において、ある話をしているときの相手方の雰囲気はどのようなものであったかなど、記録した映像や音声には含まれていない補足情報等をこれらの映像や音声の再生と同期させて提示等できると、視聴者や聴取者等にとってはその打ち合わせの内容をより理解しやすくなると考えられる。
【０００８】
上述した講義等において説明者が予め用意された資料を表示させたタイミング等を取得して同期再生表示を行う上記従来技術では、講義等の終了後に新たな補足資料を追加したいと思った場合にもそれを追加することができなかった。
【０００９】
この発明は上記に鑑みてなされたもので、講義や打ち合わせ等の内容を再生する際に、その講義等では提示されなかった補足資料を講義や打ち合わせ等の再生に同期させて表示させることを容易とするイベント取得装置、インデキシング装置、イベント取得方法およびプログラムを得ることを目的とする。
【００１０】
【課題を解決するための手段】
上記目的を達成するため、請求項１にかかる発明は、動画像データまたは音声データに基づいて動画像または音声を再生している間に、ユーザから画像表示機能を実現するアプリケーションに対して新たな編集可能な画像表示用データの作成指示があった場合、指示された時の再生時刻と、当該新たに作成された画像表示用データを識別する識別情報とを関連付けて記録するイベント記録手段を具備することを特徴とするイベント取得装置である。
【００１１】
請求項１にかかる発明によれば、再生される動画像表示等を参照しながら、補足資料等の画像表示を加えたいタイミングでアプリケーションに対して新たな画像表示用データの作成指示を行えば、その新規作成指示時点の再生時刻と、その新規作成した画像表示用データを識別する情報とが関連付けて記録される。したがって、このような再生時刻と識別情報とを関連付けた記録を参照することで、動画像等の再生の際にユーザが所望したタイミングで上記アプリケーションで作成した画像表示用データに基づく画像表示を行わせるデータの作成等を容易にすることができる。
【００１２】
また、請求項２にかかる発明は、請求項１にかかる発明の構成において、前記イベント記録手段は、前記アプリケーションによって作成された画像表示用データがすでにある場合においてユーザからタイミング指示があったときには、その指示された時の再生時刻と、当該画像表示用データを識別する識別情報とを関連付けて記録することを特徴とする。
【００１３】
請求項２にかかる発明によれば、動画像等が再生される前に予め作成しておいた画像表示用データがある場合において、動画像再生が行われている間にユーザが所望のタイミングで指示を行えば、その指示時点における再生時刻と、予め作成しておいた画像表示用データを識別する情報とが関連付けて記録される。したがって、このような再生時刻と識別情報とを関連付けた記録を参照することで、動画像等の再生の際にユーザが所望したタイミングで上記アプリケーションで予め作成しておいた画像表示用データに基づく画像表示を行わせるデータの作成を容易にすることができる。
【００１４】
また、請求項３にかかる発明は、ユーザからの開始指示があった後に、ユーザから画像表示機能を実現するアプリケーションに対して新たな編集可能な画像表示用データの作成指示があった場合、指示された時の前記開始指示時点からの経過時間と、当該新たに作成された画像表示用データを識別する識別情報とを関連付けて記録するイベント記録手段を具備することを特徴とするイベント取得装置である。
【００１５】
請求項３にかかる発明によれば、補足資料等の画像表示を加えたいタイミングでアプリケーションに対して新たな画像表示用データの作成指示を行えば、その新規作成指示時点のユーザが指定した開始時刻からの経過時間と、その新規作成した画像表示用データを識別する情報とが関連付けて記録される。したがって、ユーザが別途撮影等されている講義や打ち合わせに参加しているときに、打ち合わせや講義の撮影開始と同時に開始指示を行えば、当該経過時間と識別情報とを関連付けた記録がなされ、これを参照することで撮影画像等の再生の際にユーザが所望したタイミングで上記アプリケーションで作成した画像表示用データに基づく画像表示を行わせるデータの作成等を容易にすることができる。
【００１６】
また、請求項４にかかる発明は、請求項３にかかる発明の構成において、前記イベント記録手段は、前記アプリケーションによって作成された画像表示用データがすでにある場合においてユーザからタイミング指示があったときには、その指示された時の前記開始指示時点からの経過時間と、当該画像表示用データを識別する識別情報とを関連付けて記録することを特徴とする。
【００１７】
請求項４にかかる発明によれば、ユーザが開始指示をする前に予め作成しておいた画像表示用データがある場合において、撮影等されている打ち合わせや講義に参加するユーザが所望のタイミングで指示を行えば、その指示時点における開始指示時からの経過時間と、予め作成しておいた画像表示用データを識別する情報とが関連付けて記録される。したがって、このような経過時間と識別情報とを関連付けた記録を参照することで、打ち合わせ等を撮影した動画像等の再生の際にユーザが所望したタイミングで上記アプリケーションで予め作成しておいた画像表示用データに基づく画像表示を行わせるデータの作成を容易にすることができる。
【００１８】
また、請求項５にかかる発明は、リアルタイムで供給される動画像データおよび音声データを記録している間に、ユーザから画像表示機能を実現するアプリケーションに対して新たな編集可能な画像表示用データの作成指示があった場合、指示された時の記録開始からの経過時間と、当該新たに作成された画像表示用データを識別する識別情報とを関連付けて記録するイベント記録手段を具備することを特徴とするイベント取得装置である。
【００１９】
請求項５にかかる発明によれば、リアルタイムで供給される打ち合わせや講義などを撮影した動画像等を記録している間、補足資料等の画像表示を加えたいタイミングでアプリケーションに対して新たな画像表示用データの作成指示を行えば、その新規作成指示時点の記録開始からの経過時間と、その新規作成した画像表示用データを識別する情報とが関連付けて記録される。したがって、このような経過時間と識別情報とを関連付けた記録を参照することで、記録した動画像等を再生する際にユーザが所望したタイミングで上記アプリケーションで作成した画像表示用データに基づく画像表示を行わせるデータの作成等を容易にすることができる。
【００２０】
また、請求項６にかかる発明は、請求項５にかかる発明の構成において、前記イベント記録手段は、前記アプリケーションによって作成された画像表示用データがすでにある場合においてユーザからタイミング指示があったときには、その指示された時の記録開始からの経過時間と、当該画像表示用データを識別する識別情報とを関連付けて記録することを特徴とする。
【００２１】
請求項６にかかる発明によれば、打ち合わせや動画像等を記録する前に予め作成しておいた画像表示用データがある場合において、動画像記録が行われている間にユーザが所望のタイミングで指示を行えば、その指示時点における記録開始からの経過時間と、予め作成しておいた画像表示用データを識別する情報とが関連付けて記録される。したがって、このような経過時間と識別情報とを関連付けた記録を参照することで、記録した動画像等の再生の際にユーザが所望したタイミングで上記アプリケーションで予め作成しておいた画像表示用データに基づく画像表示を行わせるデータの作成を容易にすることができる。
【００２２】
また、請求項７にかかる発明は、動画像データまたは音声データに基づいて動画像または音声を再生している間に、ユーザから画像表示機能を実現するアプリケーションに対して新たな画像表示用データの作成指示があった場合、指示された時の再生時刻と、当該新たに作成された画像表示用データを識別する識別情報とを関連付けて記録するイベント記録手段と、再生された前記動画像データまたは前記音声データと、前記イベント記録手段によって記録された再生時刻に関連付けられた識別情報を含むイベント内容とを、前記イベント記録手段によって記録された再生時刻に基づいて時系列に対応付けるインデキシング手段とを具備することを特徴とするインデキシング装置である。
【００２３】
請求項７にかかる発明によれば、再生される動画像表示等を参照しながら、補足資料等の画像表示を加えたいタイミングでアプリケーションに対して新たな画像表示用データの作成指示を行えば、その新規作成指示時点の再生時刻と、その新規作成した画像表示用データを識別する情報とが関連付けて記録される。そして、インデキシング手段によって、動画像データと画像表示用データの識別情報とがイベント内容に含まれる再生時刻によって時系列に対応付けられる。したがって、このような対応付けにしたがうことで、動画像等の再生の際にユーザが所望したタイミングで上記アプリケーションで作成した画像表示用データに基づく画像表示を行わせるデータの作成等を容易にすることができる。
【００２４】
また、請求項８にかかる発明は、リアルタイムで供給される動画像データおよび音声データを記録している間に、ユーザから画像表示機能を実現するアプリケーションに対して新たな画像表示用データの作成指示があった場合、指示された時の記録開始からの経過時間と、当該新たに作成された画像表示用データを識別する識別情報とを関連付けて記録するイベント記録手段と、記録された前記動画像データまたは前記音声データと、前記イベント記録手段によって記録された経過時間に関連付けられた識別情報を含むイベント内容とを、前記イベント記録手段によって記録された経過時間に基づいて時系列に対応付けるインデキシング手段とを具備することを特徴とするインデキシング装置である。
【００２５】
請求項８にかかる発明によれば、リアルタイムで供給される打ち合わせや講義などを撮影した動画像等を記録している間、補足資料等の画像表示を加えたいタイミングでアプリケーションに対して新たな画像表示用データの作成指示を行えば、その新規作成指示時点の記録開始からの経過時間と、その新規作成した画像表示用データを識別する情報とが関連付けて記録される。そして、インデキシング手段によって、動画像データと画像表示用データの識別情報とがイベント内容に含まれる経過時間によって時系列に対応付けられる。したがって、このような対応付けにしたがうことで、記録した動画像等を再生する際にユーザが所望したタイミングで上記アプリケーションで作成した画像表示用データに基づく画像表示を行わせるデータの作成等を容易にすることができる。
【００２６】
また、請求項９にかかる発明は、動画像データまたは音声データに基づいて動画像または音声を再生する再生ステップと、前記再生ステップでの再生中に、ユーザから画像表示機能を実現するアプリケーションに対して新たな編集可能な画像表示用データの作成指示があった場合、指示された時の再生時刻と、当該新たに作成された画像表示用データを識別する識別情報とを関連付けて記録するイベント記録ステップとを具備することを特徴とするイベント取得方法である。
【００２７】
請求項９にかかる発明によれば、再生される動画像表示等を参照しながら、補足資料等の画像表示を加えたいタイミングでアプリケーションに対して新たな画像表示用データの作成指示を行えば、その新規作成指示時点の再生時刻と、その新規作成した画像表示用データを識別する情報とが関連付けて記録される。したがって、このような再生時刻と識別情報とを関連付けた記録を参照することで、動画像再生の際にユーザが所望したタイミングで上記アプリケーションで作成した画像表示用データに基づく画像表示を行わせるデータの作成等を容易にすることができる。
【００２８】
また、請求項１０にかかる発明は、ユーザからの開始指示があった後に、ユーザから画像表示機能を実現するアプリケーションに対して新たな編集可能な画像表示用データの作成指示があった場合、指示された時の前記開始指示時点からの経過時間と、当該新たに作成された画像表示用データを識別する識別情報とを関連付けて記録するイベント記録ステップを具備することを特徴とするイベント取得方法である。
【００２９】
請求項１０にかかる発明によれば、補足資料等の画像表示を加えたいタイミングでアプリケーションに対して新たな画像表示用データの作成指示を行えば、その新規作成指示時点のユーザが指定した開始時刻からの経過時間と、その新規作成した画像表示用データを識別する情報とが関連付けて記録される。したがって、ユーザが別途撮影等されている講義や打ち合わせに参加しているときに、打ち合わせや講義の撮影開始と同時に開始指示を行えば、当該経過時間と識別情報とを関連付けた記録がなされ、これを参照することで撮影画像等の再生の際にユーザが所望したタイミングで上記アプリケーションで作成した画像表示用データに基づく画像表示を行わせるデータの作成等を容易にすることができる。
【００３０】
また、請求項１１にかかる発明は、リアルタイムで供給される動画像データおよび音声データを記録する記録ステップと、前記記録ステップでの記録中に、ユーザから画像表示機能を実現するアプリケーションに対して新たな編集可能な画像表示用データの作成指示があった場合、指示された時の記録開始からの経過時間と、当該新たに作成された画像表示用データを識別する識別情報とを関連付けて記録するイベント記録ステップとを具備することを特徴とするイベント取得方法である。
【００３１】
請求項１１にかかる発明によれば、リアルタイムで供給される打ち合わせや講義などを撮影した動画像等を記録している間、補足資料等の画像表示を加えたいタイミングでアプリケーションに対して新たな画像表示用データの作成指示を行えば、その新規作成指示時点の記録開始からの経過時間と、その新規作成した画像表示用データを識別する情報とが関連付けて記録される。したがって、このような経過時間と識別情報とを関連付けた記録を参照することで、記録した動画像等を再生する際にユーザが所望したタイミングで上記アプリケーションで作成した画像表示用データに基づく画像表示を行わせるデータの作成等を容易にすることができる。
【００３２】
また、請求項１２にかかる発明は、コンピュータを、動画像データまたは音声データに基づいて動画像または音声を再生している間に、ユーザから画像表示機能を実現するアプリケーションに対して新たな編集可能な画像表示用データの作成指示があった場合、指示された時の再生時刻と、当該新たに作成された画像表示用データを識別する識別情報とを関連付けて記録するイベント記録手段として機能させることを特徴とするプログラムである。
【００３３】
請求項１２にかかるプログラムをコンピュータに実行させることで、上記請求項１にかかる発明と同様の動作が行われ、動画像再生等の際にユーザが所望したタイミングで上記アプリケーションで作成した画像表示用データに基づく画像表示を行わせるデータの作成等を容易にすることができる。
【００３４】
また、請求項１３にかかる発明は、コンピュータを、ユーザからの開始指示があった後に、ユーザから画像表示機能を実現するアプリケーションに対して新たな編集可能な画像表示用データの作成指示があった場合、指示された時の前記開始指示時点からの経過時間と、当該新たに作成された画像表示用データを識別する識別情報とを関連付けて記録するイベント記録手段として機能させることを特徴とするプログラムである。
【００３５】
請求項１３にかかるプログラムをコンピュータに実行させることで、上記請求項３にかかる発明と同様の動作が行われ、動画像等の再生の際にユーザが所望したタイミングで上記アプリケーションで作成した画像表示用データに基づく画像表示を行わせるデータの作成等を容易にすることができる。
【００３６】
また、請求項１４にかかる発明は、コンピュータを、リアルタイムで供給される動画像データおよび音声データを記録する記録している間に、ユーザから画像表示機能を実現するアプリケーションに対して新たな編集可能な画像表示用データの作成指示があった場合、指示された時の記録開始からの経過時間と、当該新たに作成された画像表示用データを識別する識別情報とを関連付けて記録するイベント記録手段として機能させることを特徴とするプログラムである。
【００３７】
請求項１４にかかるプログラムをコンピュータに実行させることで、上記請求項５にかかる発明と同様の動作が行われ、動画像等の再生の際にユーザが所望したタイミングで上記アプリケーションで作成した画像表示用データに基づく画像表示を行わせるデータの作成等を容易にすることができる。
【００３８】
【発明の実施の形態】
以下に添付図面を参照して、この発明にかかるイベント取得装置、インデキシング装置、イベント取得方法およびプログラムの好適な実施の形態を詳細に説明する。
【００３９】
Ａ．第１実施形態
図１は、本発明の第１実施形態にかかるインデキシング装置の機能構成を示す。同図に示すインデキシング装置１００は、ＣＰＵ等がアプリケーションを実行することにより種々の機能を実現する装置、例えばＰＣ（Ｐｅｒｓｏｎａｌ  Ｃｏｍｐｕｔｅｒ）で構成することができ、ユーザインターフェース（Ｉ／Ｆ）１１０と、プレゼンテーション用アプリケーション１２０と、動画像再生アプリケーション１３０と、イベントデータ取得アプリケーション１４０と、インデキシングアプリケーション１５０と、記憶部１６０とを備える。
【００４０】
ユーザインターフェース１１０は、キーボードやマウス等の入力デバイスを有しており、ユーザはこれらを適宜操作することで当該インデキシング装置で動作する種々のアプリケーションに対して指示を行うことができる。
【００４１】
記憶部１６０は、データの記録、読み出しが可能なハードディスクドライブ等の記憶装置であり、後述する種々のアプリケーションによって作成・利用されるデータを記憶する。
【００４２】
プレゼンテーション用アプリケーション１２０は、プレゼンテーションなどを行う時にスクリーン等に表示すべきスライド画像（表、グラフ、文書、図柄等）に対応するスライド画像表示用データを作成する。
【００４３】
図２に例示するように、このプレゼンテーション用アプリケーション１２０では、１つのプレゼンテーションに用いられるために作成された複数のスライド画像表示用データが１つのプレゼンテーション資料ファイルとして管理される。そして、当該スライド画像ファイルに含まれる各々スライド画像表示用データには、スライド画像に対応する表示用データの他に、そのスライド画像のタイトルデータ、ページ番号といったデータが含まれている。
【００４４】
ユーザは、ユーザインターフェース１１０を介して新たなスライド画像表示用データを作成する旨の指示を入力すれば、プレゼンテーション用アプリケーション１２０によって編集可能な新たなスライド画像表示用データ、つまり白紙状態のスライド画像を表示するためのデータが作成され、その後ユーザがユーザインターフェース１１０を介して適宜指示を行うことで、所望の文字、表、グラフ、絵柄等の画像が表示されるよう当該スライド画像表示用データを編集することができるようになっている。
【００４５】
また、ユーザの指示にしたがって上記のように新たなスライド画像表示用データが作成された場合、タイトルデータについてはユーザが指示入力されるまでは空白であり、ユーザが適宜指示することで所望のタイトルを記述することができる。
【００４６】
また、新規作成されたスライド画像表示用データのページ番号データについてはこれまで当該プレゼンテーション資料ファイル内で作成している最も大きいページ番号の次の番号を示す情報が自動的に記述される。例えば、新規作成するスライド画像表示用データが、当該プレゼンテーション資料ファイル内の１つ目のスライド画像表示用データである場合にはページ番号は「１」となり、すでに３つのスライド画像表示用データを作成した後に、新規作成指示をした場合には新規作成されたスライド画像表示用データのページ番号は「４」となる。当該プレゼンテーション用アプリケーション１２０によればページ番号は自動的に記述されることになるが、この順序はユーザの指示によって編集、つまり任意のページ番号に変更することができる。
【００４７】
プレゼンテーション用アプリケーション１２０は以上のようにユーザ操作にしたがって作成したプレゼンテーション資料ファイルを記憶部１６０に記憶させる。
【００４８】
また、ユーザは、ユーザインターフェース１１０を適宜操作してプレゼンテーション用アプリケーション１２０に対して指示を行うことで、作成したプレゼンテーション資料ファイルに含まれる複数のスライド画像表示用データのいずれかを選択し、所望のタイミングでそのスライド画像表示用データに基づく画像をＬＣＤ（Ｌｉｑｕｉｄ  Ｃｒｙｓｔａｌ  Ｄｉｓｐｌａｙ）等の表示部に表示させることができる。
【００４９】
動画像再生アプリケーション１３０は、記憶部１６に記憶されているＭＰＥＧ（Ｍｏｖｉｎｇ  Ｐｉｃｔｕｒｅｓ  Ｅｘｐｅｒｔｓ  Ｇｒｏｕｐ）２規格などにしたがった動画像データに基づく動画像を再生する。また、動画像再生アプリケーション１３０は、ユーザからユーザインターフェース１１０を介して供給される再生開始、一時停止、再生終了、早送り等の指示にしたがって動画像再生を行う。
【００５０】
イベントデータ取得アプリケーション１４０は、動画像再生アプリケーション１３０によって動画像データに基づく動画像再生が行われている間、プレゼンテーション用アプリケーション１２０の状態をモニタリングし、ユーザから新たなスライド画像表示用データの作成指示がプレゼンテーション用アプリケーション１２０に対して行われた場合にイベントデータを作成して記録する。
【００５１】
より具体的には、図３に示すようにイベントデータ取得アプリケーション１４０は、動画像再生アプリケーション１３０による動画像再生が開始されると、ユーザがプレゼンテーション用アプリケーション１２０に対してスライド画像表示用データの新規作成指示を行ったか否かをモニタリングし（ステップＳａ１）、新規作成指示があった場合には、その新規作成指示によって作成されたスライド画像表示用データを識別する情報としてページ番号データを取得する（ステップＳａ２）。
【００５２】
ここで、イベントデータ取得アプリケーション１４０が、プレゼンテーション用アプリケーション１２０から新規作成指示があった旨や新規作成したスライド画像のページ番号データ等を取得する手法としては以下のような手法を用いることができる。例えば、プレゼンテーション用アプリケーションがマイクロソフト社の「ＰｏｗｅｒＰｏｉｎｔ」である場合にはＯＬＥ（Ｏｂｊｅｃｔ  Ｌｉｎｋｉｎｇ  ａｎｄ  Ｅｍｂｅｄｄｉｎｇ）と呼ばれる技術を利用し、当該アプリケーションの種々の状態を示す情報を取得することができる。この場合には、イベントデータ取得アプリケーション１４０とＯＬＥをサポートしているプレゼンテーション用アプリケーションとの間でデータの授受を行えるよう関数を呼び出すことで、上記のようなアプリケーション状態を示す情報を取得することができる。
【００５３】
なお、このようなＯＬＥ技術を利用してプレゼンテーション用アプリケーション１２０の状態を示す情報を取得する以外の方法を用いるようにしてもよく、例えばプレゼンテーション用アプリケーションを、新規作成指示があった場合に、その旨と作成したスライド画像のページ番号とを逐一イベントデータ取得アプリケーション１４０に対して通知する処理を実行するよう構成しておくようにしてもよい。
【００５４】
上記のような手法により新規作成指示の有無およびページ番号データを取得すると、イベントデータ取得アプリケーション１４０は、新規作成指示があった時点における動画像再生アプリケーション１３０による動画像データの再生時刻を取得する（ステップＳａ３）。例えば、図４に示す「０：００：００」〜「３５：００：００」といった３５分間の動画像データに基づく動画像再生が動画像再生アプリケーション１３０によって行われている間に、その再生位置が「０：０７：１２」の時にユーザからの新規作成指示があった場合、イベントデータ取得アプリケーション１４０は「０：０７：１２」を再生時刻として取得する。また、動画像再生アプリケーション１３０による動画像再生が途中の位置、例えば「０：１３：１５」から開始された場合において、その再生位置が「０：２５：１８」の時に新規作成指示があったときにはイベントデータ取得アプリケーション１４０は動画像データの再生時刻「０：２５：１８」を取得する。すなわち、再生を開始した時点からの経過時間は１２分３秒であるが、イベントデータ取得アプリケーション１４０は、そのような再生開始時からの経過時間ではなく、ユーザからの新規作成指示があった時の動画像データ上の再生時刻を取得するのである。
【００５５】
イベントデータ取得アプリケーション１４０は、ユーザからプレゼンテーション用アプリケーション１２０に対して新規作成指示があった場合に、その指示時点の再生時刻と、指示によって作成されたスライド画像のページ番号を取得すると、取得した再生時刻とページ番号データとを関連付けてイベントデータとして記録する（ステップＳａ４）。すなわち、図４に示すように、再生時刻「０：０７：１２」の時点で新規作成指示がなされ、ページ番号「２」のスライド画像表示用データがプレゼンテーション用アプリケーション１２０によって新規作成された場合には再生時刻「０：０７：１２」と「２ページ」とが関連付けられたイベントデータが作成記録される。また、再生時刻「０：２５：１８」の時点で新規作成指示がなされ、ページ番号「３」のスライド画像表示用データがプレゼンテーション用アプリケーション１２０によって作成された場合には再生時刻「０：２５：１８」と「３ページ」とが関連付けられたイベントデータが作成記録される。
【００５６】
イベントデータ取得アプリケーション１４０は、ユーザからプレゼンテーション用アプリケーション１２０に対してスライド画像の新規作成指示があるごとに、以上のステップＳａ２〜ステップＳａ４までのイベントデータ記録作成処理を行う。
【００５７】
一方、ユーザからの新規作成指示がない場合には（ステップＳａ１の判別「Ｎｏ」）、動画像再生アプリケーション１３０による動画像再生が終了したか否かを判別する（ステップＳａ５）。動画像再生が終了する場合とは、ある動画像データに基づく再生が終了したか、つまり図４に示す動画像データであれば再生位置が「０：３５：００」に達して終了したか、もしくはユーザがユーザインターフェース１１０を介して動画像再生アプリケーション１３０に対して再生終了を指示した場合である。
【００５８】
動画像再生アプリケーション１３０による動画像再生が終了している場合、イベントデータ取得アプリケーション１４０は、動画像再生が行われている間に上記ステップＳａ２〜ステップＳａ４までの処理を行って記録したイベントデータをインデキシングアプリケーション１５０に出力する（ステップＳａ６）。
【００５９】
図１に示すインデキシングアプリケーション１５０は、動画像再生が終了した後にイベントデータ取得アプリケーション１４０から供給されるイベントデータ、上記のように動画再生中にプレゼンテーション用アプリケーション１２０によって作成されたスライド画像表示用データを含むプレゼンテーション資料ファイルと、動画像再生アプリケーション１３０によって再生されていた動画像データとに基づいて、当該動画像データに基づく動画像再生とスライド画像とを同期再生させることができる同期再生データを作成する。
【００６０】
動画像、静止画、文字等の種々の異なる形式のデータの再生を制御して同期させるデータフォーマットとしては、例えばＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）形式があり、本実施形態におけるインデキシングアプリケーション１５０は同期再生データとしてかかるＳＭＩＬ形式のデータを作成する。
【００６１】
このような同期再生データをＰＣ等で所定の再生ソフトウェア（例えばＳＭＩＬ形式データを再生するソフトウェア）により再生することで、その表示画面には図５に示すような表示がなされることになる。
【００６２】
同図に示すように、この表示画面には、上述した動画像再生アプリケーションによって再生される動画像を表示する映像表示欄５００と、動画像再生の間に作成されたプレゼンテーション資料ファイルに含まれるスライド画像表示用データに基づくスライド画像を表示するスライド画像欄５１０と、これらのスライド画像のタイトルを一覧表示する目次欄５２０とが表示されるようになっている。
【００６３】
同期再生データとは、以上のような動画像、スライド画像、タイトル等の文字を同期して再生表示させることを可能とするデータであり、以下、同期再生データ作成処理の詳細について図６を参照しながら説明する。
【００６４】
まず、インデキシングアプリケーション１５０は、記憶部１６０に記憶されているプレゼンテーション資料ファイルから、各スライド画像表示用データのタイトルデータ、ページ番号データ等の文字情報等を抽出する（ステップＳｂ１）。また、インデキシングアプリケーション１５０は、プレゼンテーション資料ファイルからスライド画像表示用データを抽出し、これを所定の形式（例えば、ＪＰＥＧ（Ｊｏｉｎｔ  Ｐｈｏｔｏｇｒａｐｈｉｃ  Ｅｘｐｅｒｔｓ  Ｇｒｏｕｐ）などの汎用の形式）のスライド画像表示用のデータとして保存する（ステップＳｂ２）。
【００６５】
次に、インデキシングアプリケーション１５０は、イベントデータ、抽出したタイトルデータやページ番号データ等の文書情報、プレゼンテーション資料ファイルおよび動画像データに基づいて、図５に示されるように動画像データに基づく映像と、プレゼンテーション資料ファイル中のスライド画像表示用データに基づくスライド画像と、これらのスライド画像のタイトル等の文字情報を同期して表示させることができる同期再生データを作成する（ステップＳｂ３）。
【００６６】
上述したように本実施形態では、このような同期再生データとしてＳＭＩＬ形式のデータを作成することとしており、インデキシングアプリケーション１５０は、供給される各データから、以下のデータを取得し、これらをＳＭＩＬ形式にしたがって記述することでＳＭＩＬ形式の同期再生データを作成する。
（１）各スライド画像の新規作成タイミング
（２）各々のスライド画像のタイトルデータ等（タイトル、本文の内容、ページ番号等）
（３）各スライド画像（ＪＰＥＧ等）の保存場所（ファイルパス情報）
（４）各スライド画像に対応する動画像データの保存場所（ファイルパス情報）
（５）映像表示欄５００、スライド画像欄５１０、目次欄５２０（図５参照）をどのように配置するかを示すレイアウトデータ
【００６７】
なお、（５）のレイアウト情報については、イベントデータ等の供給されるデータからではなく、ユーザが設定指示したレイアウトにしたがって作成されたデータである。
【００６８】
このように作成される同期再生データにおける、タイトルとスライド画像と映像ファイルとの同期の対応関係について図７に模式的に示す。同図に示す例では、動画再生時にユーザのプレゼンテーション用アプリケーション１２０に対する１ページ目の新規スライド画像作成指示が再生時刻「０：００：００」に行われ、２ページ目の新規スライド画像作成指示が再生時刻「０：０１：１５」に行われ、３ページ目の新規スライド画像作成指示が再生時刻「０：０２：４５」に行われ、４ページ目の新規スライド画像作成指示が再生時刻「０：０３：５３」に行われたものとし、かかる指示タイミングでのイベントデータがイベントデータ取得アプリケーション１４０によって取得されている。
【００６９】
動画再生時に以上のようなタイミングでスライド画像の新規作成指示が行われると、１ページ目のスライド画像の新規作成が指示されてから２ページ目のスライド画像の新規作成が指示されるまでの間（時刻０：００：００〜０：０１：１５）に再生された動画像データと１ページ目のスライド画像およびそのタイトル「はじめに」が対応付けられる。また、２ページ目のスライド画像の新規作成指示がなされてから３ページ目のスライド画像の新規作成指示がなされるまでの間（時刻０：０１：１５〜０：０２：４５）に再生された動画像データと２ページ目のスライド画像およびそのタイトル「背景」が対応付けられる。さらに３ページ目のスライド画像の新規作成指示がなされてから４ページ目のスライド画像の新規作成指示がなされるまでの間（時刻０：０２：４５〜０：０３：５３）に再生された動画像データが３ページ目のスライド画像およびそのタイトル「概略」に対応付けられる。
【００７０】
インデキシングアプリケーション１５０は、このようなタイトルという文字情報、スライド画像という静止画、動画像データといった異なる形式のデータの再生を上記のような時系列の対応関係に基づいて制御して同期させることができるＳＭＩＬ形式のデータを作成するのである。
【００７１】
かかる同期再生データをＰＣ等で所定の再生ソフトウェアにより再生することで、その表示画面には図５に示すような表示がなされることになる。
【００７２】
かかる表示を参照しているユーザが「背景」をクリックすれば、同期再生データにはこの表示に２ページ目のスライド画像へのパスおよびこれに対応する動画像データ（開始時刻０：０１：１５〜）へのリンクが記述されているので、再生ソフトウェアによってこれに対応する２ページ目のスライド画像がスライド画像欄５１０に表示されるとともに、このタイトルに対応する時刻「０：０１：１５」から動画像データの再生が開始され映像表示欄５００に表示される。
【００７３】
また、「概略」をクリックすれば、当該タイトルに対応する３ページ目のスライド画像および動画像データ（開始時刻０：０２：４５）へのパスがリンクされているので、３ページ目のスライド画像がスライド画像欄５１０に表示されるとともに、映像表示欄５００には時刻「０：０２：４５」からの動画像データに基づく再生映像が表示されることになる。
【００７４】
もちろん、映像表示欄５００に表示させる再生時刻をユーザが指定することで、その指定再生時刻に対応するスライド画像をスライド画像欄５１０に表示させることもできる。例えば、ユーザが再生時刻「０：０２：３０」からの動画像再生を指示した場合には、同期再生データにしたがって再生ソフトウェアが、その時刻からの動画像再生を行うとともに、指定時刻「０：０２：３０」に対応付けられている２ページ目のスライド画像（０：０１：１５〜０：０２：４５の映像に対応している）を読み出してスライド画像欄５１０に表示させる。
【００７５】
以上のような過程を経て作成された同期再生データによる再生は、動画像データに基づく映像に加え、その動画像再生を参照しながら行った新規作成指示タイミングで新規作成されたページのスライド画像が表示され、次のページの新規作成指示があったタイミングまでかかるページのスライド画像が表示されるものとなる。
【００７６】
したがって、当該インデキシング装置１００のユーザは、打ち合わせや講義等を撮影した動画像再生を参照しながら、補足資料等を加えたいタイミングでプレゼンテーション用アプリケーション１２０に対して新規作成指示を行い、その後新規作成したスライド画像を補足すべき資料を表示するスライド画像に編集するといった作業を行うことで、上述したように動画像再生の進行に応じて、編集者が意図したタイミングで意図した内容の補足資料画像を表示させることができる同期再生データを作成することができる。
【００７７】
また、本実施形態では、イベントデータ取得アプリケーション１４０が、ユーザによる新規作成指示があった時点における動画像再生アプリケーション１３０による動画像再生の再生時刻を取得するようにしており、動画像データの途中から再生を開始した場合であっても、途中再生開始後の経過時間ではなく当該動画像データの再生時刻を取得するようになっている（図４参照）。
【００７８】
このようにすることでユーザが新規作成したスライド画像編集作業を行うために動画像データに基づく再生を一旦停止した後、再度その停止した時点からの動画像再生指示を行い、再生映像を参照しながら所望のタイミングで新規作成指示を行った場合であっても、指示時点における当該動画像データの再生時刻をイベントデータとして取得できる。したがって、このように取得したイベントデータを用いて同期再生データを作成し、かかる同期再生データを再生することで動画像データ再生時におけるユーザが所望したタイミングで、作成した補足資料等を提示するスライド画像を表示させることができる。
【００７９】
Ｂ．第２実施形態
次に、本発明の第２実施形態にかかるインデキシング装置について図８を参照しながら説明する。同図に示すように、第２実施形態にかかるインデキシング装置２００は、図１に示す動画像再生アプリケーション１３０に代えて、動画像録画再生部１８０を備える点で第１実施形態にかかるインデキシング装置１００と相違している。
【００８０】
動画像録画再生部１８０は、キャプチャボードまたはソフトウェアによって実現される機能であり、ＤＶ（Ｄｉｇｉｔａｌ  Ｖｉｄｅｏ）カメラ１９０によって撮影され、リアルタイムで供給される動画像データを所定の形式（例えば、ＭＰＥＧ２など）の動画像データに変換し、変換後の動画像データを記憶部１６０に記憶する。また、動画像録画再生部１８０は、ＤＶカメラ１９０からリアルタイムで供給される動画像データに基づく動画像再生を上記のように記録を行いながら実行して図示せぬ表示部等に再生映像を表示させる。
【００８１】
本実施形態において、インデキシング装置２００を用いて上記第１実施形態にかかるインデキシング装置１００と同様に同期再生データを作成する場合、ＤＶカメラ１９０は、例えば打ち合わせや講義の様子などを撮影し、その撮影動画像を動画像録画再生部１８０がリアルタイムで記録再生させる。その再生映像を参照しながら編集者が、補足資料等を提示したいタイミングでプレゼンテーション用アプリケーション１２０に対して新規作成指示をすることで、上記第１実施形態と同様の同期再生データを作成することができる。
【００８２】
すなわち、第２実施形態におけるイベントデータ取得アプリケーション１４０は、動画像録画再生部１８０によってＤＶカメラ１９０からリアルタイムで供給される動画像データの記録が行われている間、プレゼンテーション用アプリケーション１２０に対してユーザからスライド画像の新規作成指示があった場合、新規作成されたスライド画像のページ番号を取得するとともに、指示があった時点の動画像録画再生部１８０による記録時刻を取得し、これらを関連付けてイベントデータとして記録する（図３参照）。
【００８３】
ここで、動画像録画再生部１８０による記録時刻とは、ＤＶカメラ１９０による撮影が開始されることによりその撮影映像がリアルタイムで供給されて動画像データの記録を開始した時点からの経過時間である。したがって、ＤＶカメラ１９０によって撮影される動画像の記録開始から３分２０秒後に３ページ目のスライド画像の新規作成指示がなされた場合には、イベントデータ取得アプリケーション１４０によって記録時刻「０：０３：２０」が取得され、これが３ページといったページ番号と関連付けて記録されることになる。
【００８４】
そして、第２実施形態におけるインデキシングアプリケーション１５０によって行われる同期再生データ作成処理は上記第１実施形態と同様である。したがって、インデキシングアプリケーション１５０によって生成された同期再生データに基づく再生を行うと、動画像録画再生部１８０によって記録された動画像データに基づく動画像の再生時刻が「０：０３：２０」になった時点で、スライド画像欄５１０（図５参照）に３ページ目のスライド画像が表示されることになる。
【００８５】
以上のように当該インデキシング装置２００のユーザは、打ち合わせや講義等を撮影して記録しつつ、リアルタイムで再生される映像を参照しながらもしくは撮影対象となっている講義や打ち合わせに実際に参加等しながら、補充資料を表示させたいタイミングでプレゼンテーション用アプリケーション１２０に対して新規作成指示を行い、その後新規作成したスライド画像を補足すべき資料を表示するスライド画像に編集するといった作業を行うことで、上述したように動画像再生を行う際に、編集者が意図したタイミングで意図した内容の補足資料画像を表示させることができる同期再生データを作成することができる。
【００８６】
なお、本明細書における「リアルタイム」で供給される動画像データを記録するとは、動画像データ等のファイルの供給を受けてコピーする場合などは含まれないが、ＤＶカメラ１９０等が撮影した映像をそのままインデキシング装置２００に供給する場合に限らず、予めＤＶカメラ１９０等で撮影しておいた動画像データをインデキシング装置３００に再生する時と同じ時間で供給する、つまり３５分の動画像データであれば３５分間で供給する場合も含み、また放送される番組などの動画像データを受信して動画像録画再生部１８０が記録する場合も含む。
【００８７】
Ｃ．第３実施形態
次に、本発明の第３実施形態にかかるインデキシング装置３００について図９を参照しながら説明する。同図に示すように、第３実施形態にかかるインデキシング装置３００は、図１に示す動画像再生アプリケーション１３０を有しない点で第１実施形態にかかるインデキシング装置１００と相違している。
【００８８】
かかるインデキシング装置３００では、ユーザはユーザインターフェース１１０を介してイベントデータの取得開始をイベントデータ取得アプリケーション１４０に対して指示する。かかる指示があるとイベントデータ取得アプリケーション１４０は時間の計測を開始する。
【００８９】
そして、取得開始指示があった後、プレゼンテーション用アプリケーション１２０に対して新規作成指示がなされた場合、イベントデータ取得アプリケーション１４０はかかる指示がなされた時の前記取得開始指示からの経過時間を取得し、かかる新規作成指示によって作成されたスライド画像のページ番号と関連付けてイベントデータとして記録する。
【００９０】
このようにしてイベントデータ取得アプリケーション１４０によって取得されたイベントデータに基づいて、インデキシングアプリケーション１５０が上記第１実施形態と同様に同期再生データを作成する。なお、ここでスライド画像表示と同期再生させる動画像データは、当該インデキシング装置３００とは別の動画像記録装置等によって記録されたものである。そして、かかる動画像記録装置によって記録された動画像データを当該インデキシング装置３００に供給して記憶部１６０に記憶させることで、上記第１実施形態と同様にインデキシングアプリケーション１５０がかかる動画像データに基づく動画像再生と、スライド画像表示とを同期させることができる同期再生データを作成することができる。
【００９１】
すなわち、講義や打ち合わせに実際に参加等しているインデキシング装置３００のユーザが、講義や打ち合わせの様子を撮影する動画像記録装置（図示略）に対して撮影開始の指示を行うと同時またはほぼ同時にインデキシング装置３００のイベントデータ取得アプリケーション１４０に対して取得開始指示を行うようにすればよい。その後、インデキシング装置３００のユーザが、動画像記録装置に打ち合わせや講義等を撮影させて記録しつつ、撮影対象となっている講義や打ち合わせに実際に参加等しながら、補充資料を表示させたいタイミングでプレゼンテーション用アプリケーション１２０に対して新規作成指示を行い、その後新規作成したスライド画像を補足すべき資料を表示するスライド画像に編集するといった作業を行うことで、上述した第１実施形態と同様に動画像再生の進行に応じて、編集者が意図したタイミングで意図した内容の補足資料画像を表示させることができる同期再生データを作成することができる。
【００９２】
Ｄ．変形例
なお、本発明は、上述した実施形態に限定されるものではなく、以下に例示するような種々の変形が可能である。
【００９３】
（変形例１）
上述した第１実施形態では、イベントデータ取得アプリケーション１４０が、ユーザによる新規作成指示があった時点における動画像再生アプリケーション１３０による動画像再生の再生時刻を取得するようにしていた。さらに、１つの同期再生データを作成する際に、ある動画像データに別の動画像データを追加するといった場合においては、イベントデータ取得アプリケーション１４０は、以下のようにしてイベントデータを取得するようにしてもよい。
【００９４】
図１０に示すように、動画像再生アプリケーション１３０により３５分間の動画像データＡを再生した後、これに追加すべき動画像データＢをさらに再生させた場合において、動画像データＢの再生時刻が「０：０５：１２」の時点でユーザによってｎページのスライド画像の新規作成指示がなされたときには、イベントデータ取得アプリケーション１４０は、動画像データＢの再生時刻に動画像データＡの再生時間である３５分を加算調整し、調整後の再生時刻である「０：４０：１２」を取得してイベントデータを作成する。
【００９５】
このようにすることで、動画像データＡと動画像データＢとを連続再生させるといった同期再生データを作成する場合であっても、イベントデータ取得アプリケーション１４０によって動画像データＡの再生時間を考慮した再生時刻が取得されているので、連続再生される再生位置が動画像データＢの「０：０５：１２」に達した時、つまり連続再生時間が「０：４０：１２」に達した時にｎページのスライド画像が図５に示すスライド表示欄５１０に表示されるといった同期再生が可能な同期再生データを作成することが可能となる。
【００９６】
（変形例２）
また、上述した第１〜第３実施形態においては、イベントデータ取得アプリケーション１４０は、プレゼンテーション用アプリケーション１２０に対してスライド画像の新規作成指示があった場合に、そのタイミング（再生時刻、記録開始からの経過時間、ユーザの開始指示からの経過時間）等を含むイベントデータを取得するようにしていた。
【００９７】
このようにすべてのスライド画像を新規作成する場合のみならず、動画像再生、記録、ユーザの開始指示等が行われる前にすでに１または複数のスライド画像が作成されている場合においても、これに追加するために新規作成指示があったときには上記各実施形態と同様、イベントデータ取得アプリケーション１４０がその指示タイミング等を含むイベントデータを作成するようにしてもよい。
【００９８】
さらに、すでに１または複数のスライド画像が作成済みである場合においては、イベントデータ取得アプリケーション１４０が、ユーザからのタイミング指定指示に基づいて、すでに作成されているスライド画像のうちタイミング指定指示に係るページ番号と、タイミング指定指示が行われた再生時刻等のタイミングとを関連付けてイベントデータを作成するようにしてもよい。
【００９９】
例えば、図１１に示すように、１ページのスライド画像がすでに作成済みの状態で、動画像データに基づく再生が開始された場合において、ユーザから当該イベントデータ取得アプリケーション１４０に対してタイミング指定指示があったときにはイベントデータ取得アプリケーションは、その指示があった時の再生時刻「０：０８：１４」と、１ページとを関連付けたイベントデータを作成する。その後、動画像データに基づく再生の再生時刻「０：１３：２４」となった時に、プレゼンテーション用アプリケーション１２０に対して新規作成指示があると、イベントデータ取得アプリケーション１４０は上記第１実施形態と同様にその指示時点における再生時刻「０：１３：２４」と、新規作成されたページである２ページとを関連付けたイベントデータを作成する。
【０１００】
（変形例３）
また、上述した各実施形態において、イベントデータ取得アプリケーション１４０は、プレゼンテーション用アプリケーション１２０に対してユーザがスライド画像の新規作成指示を行った場合にその指示タイミング等を含むイベントデータを作成するようになっていたが、プレゼンテーション用アプリケーション１２０以外の画像表示機能を有するアプリケーションに対して新規作成指示があった場合にイベントデータを作成するようにしてもよい。
【０１０１】
例えば、文書データ作成編集アプリケーション（ワードプロセッサアプリケーション）のように作成編集した文書画像を表示させる機能を有するアプリケーションや、表計算アプリケーションのように作成編集した表やグラフを表示させる機能を有するアプリケーションであってもよい。そして、ユーザが文書データ作成編集アプリケーションに対して文書データの新規作成指示を行った場合には、イベントデータ取得アプリケーション１４０が、その指示タイミングと、新規作成した文書データを識別する情報（ファイル名等）とを関連付けたイベントデータを作成するようにすればよい。
【０１０２】
（変形例４）
また、上述した各実施形態では、講義や打ち合わせなどを撮影した動画像データと、スライド画像表示用データと、各々のスライド画像のタイトルといった文字情報といった異なる形式のデータの再生を制御して同期させることができるＳＭＩＬ形式のデータを作成していたが、動画像再生に同期させるスライド画像のタイトルのみならず、講義や打ち合わせなどを録音した音声データに基づく音声再生とスライド画像表示を同期させる同期再生データ作成のために、上記各実施形態と同様のイベントデータ取得処理を行うようにしてもよい。
【０１０３】
（変形例５）
また、上述した実施形態では、インデキシングアプリケーション１５０が、イベントデータ、抽出したタイトルデータやページ番号データ等の文書情報、プレゼンテーション資料ファイルおよび動画像データに基づいて、動画像と、スライド画像と、これらのスライド画像のタイトル等の文字情報を同期して表示させることができる同期再生データとしてＳＭＩＬ形式のデータを作成するようにしていた。
【０１０４】
このように同期再生データとしてＳＭＩＬ形式のデータを作成するようにしてもよいが、ＳＭＩＬ以外のデータであっても、映像（または音声等）と、スライド画像等の静止画と、タイトル等の文字情報といった異なる形式のデータの再生を制御して同期させることができる形式のデータであればよく、ＳＭＩＬ形式以外の形式のデータを作成するようにしてもよい。
【０１０５】
（変形例６）
また、上述した各実施形態では、単独のインデキシング装置においてプレゼンテーション用アプリケーション１２０、動画像再生アプリケーション１３０、イベントデータ取得アプリケーション１４０およびインデキシングアプリケーション１５０が動作するようになっていたが、互いにデータの授受が可能な複数のＰＣ等が上記アプリケーションの機能を分担して実現して同期再生データを生成するインデキシング装置を構成するようにしてもよい。
【０１０６】
（変形例７）
また、上述した各実施形態では、ＰＣ等に内蔵されるＣＰＵ等のコンピュータが外部記憶装置等に記憶されたプログラムを読み出して動作することにより、上述したイベント取得処理（図３参照）やインデキシング処理（図６参照）などを行うようになっていたが、このような処理と同様の処理をハードウェア回路によって実現するようにしてもよいし、コンピュータにこのような処理を実行させるためのプログラムをインターネット等の通信回線を介してユーザに提供するようにしてもよいし、当該プログラムをＣＤ−ＲＯＭ（Ｃｏｍｐａｃｔ  Ｄｉｓｃ−Ｒｅａｄ  Ｏｎｌｙ  Ｍｅｍｏｒｙ）などのコンピュータ読み取り可能な記録媒体に記録してユーザに提供するようにしてもよい。
【０１０７】
【発明の効果】
以上説明したように、請求項１にかかる発明によれば、講義や打ち合わせ等を撮影した動画像等の再生の際にユーザが所望したタイミングで上記アプリケーションで作成した画像表示用データに基づく画像表示を行わせるデータの作成等を容易にすることができるという効果を奏する。
【０１０８】
また、請求項２にかかる発明によれば、講義や打ち合わせなどを撮影した動画像等の再生の際にユーザが所望したタイミングで上記アプリケーションで予め作成しておいた画像表示用データに基づく画像表示を行わせるデータの作成を容易にすることができるという効果を奏する。
【０１０９】
また、請求項３にかかる発明によれば、ユーザが別途撮影等されている講義や打ち合わせに参加しているときに、打ち合わせや講義の撮影開始と同時に開始指示を行えば、撮影画像等の再生の際にユーザが所望したタイミングで上記アプリケーションで作成した画像表示用データに基づく画像表示を行わせるデータの作成等を容易にすることができるという効果を奏する。
【０１１０】
また、請求項４にかかる発明によれば、打ち合わせ等を撮影等した動画像等の再生の際にユーザが所望したタイミングで上記アプリケーションで予め作成しておいた画像表示用データに基づく画像表示を行わせるデータの作成を容易にすることができるという効果を奏する。
【０１１１】
また、請求項５にかかる発明によれば、打ち合わせや講義等を撮影記録した動画像等を再生する際にユーザが所望したタイミングで上記アプリケーションで作成した画像表示用データに基づく画像表示を行わせるデータの作成等を容易にすることができるという効果を奏する。
【０１１２】
また、請求項６にかかる発明によれば、打ち合わせや講義等を撮影記録した動画像等の再生の際にユーザが所望したタイミングで上記アプリケーションで予め作成しておいた画像表示用データに基づく画像表示を行わせるデータの作成を容易にすることができるという効果を奏する。
【０１１３】
また、請求項７にかかる発明によれば、打ち合わせ等を撮影した動画像等の再生の際にユーザが所望したタイミングで上記アプリケーションで作成した画像表示用データに基づく画像表示を行わせるデータの作成等を容易にすることができるという効果を奏する。
【０１１４】
また、請求項８にかかる発明によれば、打ち合わせ等を撮影記録した動画像等を再生する際にユーザが所望したタイミングで上記アプリケーションで作成した画像表示用データに基づく画像表示を行わせるデータの作成等を容易にすることができるという効果を奏する。
【０１１５】
また、請求項９にかかる発明によれば、打ち合わせ等を撮影した動画像再生の際に応じてユーザが所望したタイミングで上記アプリケーションで作成した画像表示用データに基づく画像表示を行わせるデータの作成等を容易にすることができるという効果を奏する。
【０１１６】
また、請求項１０にかかる発明によれば、ユーザが別途撮影等されている講義や打ち合わせに参加しているときに、打ち合わせや講義の撮影開始と同時に開始指示を行えば、当該撮影画像等の再生の際にユーザが所望したタイミングで上記アプリケーションで作成した画像表示用データに基づく画像表示を行わせるデータの作成等を容易にすることができるという効果を奏する。
【０１１７】
また、請求項１１にかかる発明によれば、打ち合わせ等を撮影記録した動画像等を再生する際にユーザが所望したタイミングで上記アプリケーションで作成した画像表示用データに基づく画像表示を行わせるデータの作成等を容易にすることができるという効果を奏する。
【０１１８】
また、請求項１２にかかるプログラムをコンピュータに実行させることで、上記請求項１にかかる発明と同様の動作が行われ、動画像再生等をする際にユーザが所望したタイミングで上記アプリケーションで作成した画像表示用データに基づく画像表示を行わせるデータの作成等を容易にすることができるという効果を奏する。
【０１１９】
また、請求項１３にかかるプログラムをコンピュータに実行させることで、上記請求項３にかかる発明と同様の動作が行われ、動画像等の再生の進行に応じてユーザが所望したタイミングで上記アプリケーションで作成した画像表示用データに基づく画像表示を行わせるデータの作成等を容易にすることができる。
【０１２０】
また、請求項１４にかかるプログラムをコンピュータに実行させることで、上記請求項５にかかる発明と同様の動作が行われ、動画像等の再生の際にユーザが所望したタイミングで上記アプリケーションで作成した画像表示用データに基づく画像表示を行わせるデータの作成等を容易にすることができる。
【図面の簡単な説明】
【図１】本発明の第１実施形態にかかるインデキシング装置の構成を示すブロック図である。
【図２】前記インデキシング装置で動作するプレゼンテーション用アプリケーションによって作成されるプレゼンテーション資料ファイルの内容を示す図である。
【図３】前記インデキシング装置で動作するイベントデータ取得アプリケーションによるイベントデータ取得処理の手順を示すフローチャートである。
【図４】前記イベントデータ取得アプリケーションによるイベントデータ取得過程を説明するための図である。
【図５】前記インデキシング装置によって作成される同期再生データに基づく再生画像の一例を示す図である。
【図６】前記インデキシング装置で動作するインデキシングアプリケーションによる処理の手順を示すフローチャートである。
【図７】動画像およびスライド画像といった異なる形式のデータを同期再生させる前記同期再生データにおける、動画像とスライド画像との対応関係を模式的に示す図である。
【図８】本発明の第２実施形態にかかるインデキシング装置の構成を示すブロック図である。
【図９】本発明の第３実施形態にかかるインデキシング装置の構成を示すブロック図である。
【図１０】前記第１実施形態にかかるインデキシング装置の変形例によるイベントデータ取得処理の内容を説明するための図である。
【図１１】各実施形態にかかるインデキシング装置の変形例によるイベントデータ取得処理の内容を説明するための図である。
【符号の説明】
１００  インデキシング装置
１１０  ユーザインターフェース
１２０  プレゼンテーションアプリケーション
１３０  動画像再生アプリケーション
１４０  イベントデータ取得アプリケーション
１５０  インデキシングアプリケーション
１６０  記憶部
１８０  動画像録画再生部
２００  インデキシング装置
３００  インデキシング装置
【図１】
2004258745.tif 000003
【図２】
2004258745.tif 000004
【図３】
2004258745.tif 000005
【図４】
2004258745.tif 000006
【図５】
2004258745.tif 000007
【図６】
2004258745.tif 000008
【図７】
2004258745.tif 000009
【図８】
2004258745.tif 000010
【図９】
2004258745.tif 000011
【図１０】
2004258745.tif 000012
【図１１】
2004258745.tif 000013